(57)【要約】【課題】単純な構成で係止されたばねの脱落を防止し、作業者の負担の軽減及びコストアップの抑制を図る。【解決手段】フレーム１０と、フレーム１０の壁面に位置し、矢印Ｙ方向に沿って往復移動自在なスライドロックレバー１５と、矢印Ｙ方向にスライドロックレバー１５を付勢するばね２００とを有する。また、ばね２０における環状の一端部２０Ａと連環した状態で該一端部２０Ａを係止部３２Ａにおいて係止し、所定の幅Ｗだけ切断されている環状を呈する係止部材３０Ａであって、所定の幅Ｗが一端部２０Ａの断面における最小幅よりも小さく、且つ、周方向において一部に弾性部３３Ａを備えた係止部材３０Ａと、ばね２０の他端部２０Ｂを係止する係止孔３５Ａを備えた係止部材３０Ｂと、を備える。【選択図】  図３
2006221763.tif 000002
【特許請求の範囲】
【請求項１】
ばねにおける環状の一端部と連環した状態で該一端部を周方向の一部に形成された係止部において係止し、周方向において所定の幅だけ切断されている環状を呈する係止部材であって、
前記所定の幅が前記一端部の断面における最小幅よりも小さく、且つ、周方向において一部又は全部に弾性部を備えたことを特徴とする係止部材。
【請求項２】
前記弾性部は、前記係止部以外に位置することを特徴とする請求項１に記載の係止部材。
【請求項３】
本体装置のフレームとなる基台と、
前記基台の壁面に位置し、一定方向に沿って往復移動自在な移動部材と、
前記移動部材を前記一定方向に付勢するばねと、
前記移動部材の一部に位置し、前記ばねの一端部を係止する第１係止部材と、
前記基台の壁面に位置し、前記ばねの他端部を係止する第２係止部材と、を有する装置であって、
少なくとも前記一端部又は前記他端部の一方は、環状を呈し、
前記第１係止部材又は前記第２係止部材は、周方向において所定の幅だけ切断されている環状を呈し、前記一端部又は前記他端部と連環した状態で該一端部又は該他端部を周方向の一部に形成された係止部において係止し、該所定の幅が前記一端部の断面における最小幅よりも小さく、且つ、周方向において一部又は全部に弾性部を形成したことを特徴とする移動部材を備えた装置。
【発明の詳細な説明】
【技術分野】
【０００１】
この発明は、所望の位置にばねを固定する係止部材及びこの係止部材を有する移動部材を備えた装置に関する。
【背景技術】
【０００２】
従来より、電子機器等の装置の蓋の開閉等に用いられるスライドロックレバー等の往復移動自在な移動部材は、ばねによって一定方向に付勢され、往動した際にばねの弾性力によって復動する。ばねは、両端部が係止部材によって係止されている（例えば、特許文献１参照。）。例えば、図１及び図２に示すように、スライドロックレバー１５０に備えられた係止部材３００Ａに、ばね２００の一端部を係止する。
【０００３】
スライドロックレバー１５０は、フレーム１１０の壁面に位置し、ガイドピン１５１にガイドされて矢印Ｙ方向に往復移動する。ばね２００は、他端部がフレーム１００の壁面に備えられた係止部材３００Ｂに係止され、スライドロックレバー１５０を図１及び図２に示す矢印Ｙ方向に付勢する。
【０００４】
係止部材３００Ａは、フック形状を呈し、所定の幅Ｕで内周の一部が外部に連通している。ばね２００の一端部は、環状に形成されて係止部材３００Ａに引っ掛けられた状態で内周面において係止されている。係止部材３００Ｂは、固定孔３００ＢＡを備えている。ばね２００の他端部は、この固定孔３００ＢＡに引っ掛けられた状態でボンド等の接着剤３５０を用いて固定（係止）されている。
【０００５】
接着剤３５０を塗布したのは、係止部材３００Ｂが外部から何らかの衝撃が加えられた場合等において、ばね２００の他端部が係止部材３００Ｂから外れないようにするためである。ばねの断面の最小幅が所定の幅Ｕ以上であるので、ばね２００の他端部が係止部材３００Ｂから外れると、ばね２００の一端部が係止部材３００Ａから容易に外れてばね２００が完全に脱落する。脱落したばね２００は、装置１００内部の基板等の部品に触れて電気的にショートさせる等の原因となる。
【特許文献１】実開昭６０−１７３１９４号公報
【発明の開示】
【発明が解決しようとする課題】
【０００６】
しかしながら、上述の図１及び図２の構成では、ばねの端部を固定するために接着剤を塗布しているので、作業者の負担の増大及び労務費、副資材のコストアップとなっていた。
【０００７】
この発明の目的は、単純な構成で係止されたばねの脱落を防止し、作業者の負担の軽減及びコストアップの抑制を図ることができる係止部材及びこの係止部材を有する移動部材を備えた装置を提供することにある。
【課題を解決するための手段】
【０００８】
この発明は、上記の課題を解決するために、以下の構成を備えている。
【０００９】
（１）ばねにおける環状の一端部と連環した状態で該一端部を周方向の一部に形成された係止部において係止し、周方向において所定の幅だけ切断されている環状を呈する係止部材であって、
前記所定の幅が前記一端部の断面における最小幅よりも小さく、且つ、周方向において一部又は全部に弾性部を備えたことを特徴とする。
【００１０】
この構成においては、係止部材の周方向の一部又は全部に弾性部が形成され、この弾性部を弾性変形させることによって係止部材の環状が変形し、所定の幅だけ切断されていた箇所が変形する前よりも広がる。そのため、ばねの一端部が容易に連環される。また、弾性部を弾性変形させていない状態においては、所定の幅がばねの一端部の断面における最小幅よりも小さいので、ばねの一端部が係止部材から脱落することがない。
【００１１】
（２）前記弾性部は、前記係止部以外に位置することを特徴とする。
【００１２】
この構成においては、ばねの弾性力が伝達される係止部以外の位置に弾性部が備えられている。したがって、ばねの弾性力によって弾性部が弾性変形することがない。
【００１３】
（３）本体装置のフレームとなる基台と、
前記基台の壁面に位置し、一定方向に沿って往復移動自在な移動部材と、
前記移動部材を前記一定方向に付勢するばねと、
前記移動部材の一部に位置し、前記ばねの一端部を係止する第１係止部材と、
前記基台の壁面に位置し、前記ばねの他端部を係止する第２係止部材と、を有する装置であって、
少なくとも前記一端部又は前記他端部の一方は、環状を呈し、
前記第１係止部材又は前記第２係止部材は、周方向において所定の幅だけ切断されている環状を呈し、前記一端部又は前記他端部と連環した状態で該一端部又は該他端部を周方向の一部に形成された係止部において係止し、該所定の幅が前記一端部の断面における最小幅よりも小さく、且つ、周方向において一部又は全部に弾性部を形成したことを特徴とする。
【００１４】
この構成においては、一定方向に往復移動自在な移動部材の一部に第１係止部材が備えられ、基台の壁面に第２係止部材が備えられている。また、一端部及び他端部が第１係止部材及び第２係止部材に係止されたばねが備えられている。少なくともこのばねの一端部又は他端部の一方が環状を呈し、この環状の一端部又は他端部が第１係止部材又は前記第２係止部材に連環した状態で係止されている。
【００１５】
この第１係止部材又は第２係止部材における周方向において一部又は全部に弾性部が形成され、この弾性部を弾性変形させることによって環状が変形し、所定の幅だけ切断されていた箇所が変形する前よりも広がる。そのため、ばねの一端部又は他端部が容易に連環される。また、弾性部を弾性変形させていない状態においては、所定の幅がばねの一端部又は他端部の断面における最小幅よりも小さいので、ばねの一端部又は他端部が第１係止部材又は第２係止部材から脱落することがない。
【発明の効果】
【００１６】
この発明によれば、以下の効果を奏することができる。
【００１７】
（１）周方向において所定の幅だけ切断されている環状を呈する係止部材に連環してばねの一端部を係止することによって、単純な構成でばねの一端部が係止部材から脱落することを防止できるので、他端部を接着剤で固定する等の作業をする必要がなく、作業者の負担の軽減及びコストアップの抑制を図ることができる。
【００１８】
（２）弾性部を係止部材における係止部以外の位置に備えたことによって、ばねの弾性力による弾性変形を防止でき、ばねの一端部が係合部材から脱落することを確実に防止することができる。
【００１９】
（３）周方向において一部又は全部に弾性部を備えた環状の第１係止部材又は第２係止部材を用いてばねの一端部又は他端部を係止することによって、移動部材を一定方向に付勢するばねの一端部又は他端部が第１係止部材又は第２係止部材から脱落することを防止できるので、他端部又は一端部を接着剤で固定する等の作業をする必要がなく、作業者の負担の軽減及びコストアップの抑制を図ることができる。
【発明を実施するための最良の形態】
【００２０】
以下、この発明の最良の実施形態に係る係止部材を備えた装置を図面を参照しつつ詳細に説明する。
【００２１】
図３は、この発明の実施形態に係る装置の一部の構成を示す斜視図である。図４は、図３に示す矢印Ｘ方向から見た正面図である。例えばポータブルの音楽再生装置等に適用されるこの装置１は、フレーム（本発明の基台に相当する。）１０、スライドロックレバー（本発明の移動部材に相当する。）１５等から構成されている。フレーム１０は、装置１の枠組みである。スライドロックレバー１５は、爪部１５Ｂ等を備え、フレーム１０の壁面上を図示しないガイド部材及びピン１５Ａにガイドされて矢印Ｙ方向に往復移動する。また、スライドロックレバー１５は、ピン１５Ａによって移動幅が制限されている。
【００２２】
爪部１５Ｂは、他の部材の移動の制限を行う。例えば、スライドロックレバー１５とともに矢印Ｙ方向に往復移動し、一定方向に移動自在な図示しない係合部との係合及び係合の解除を行い、係合時に係合部の移動を禁止する。
【００２３】
また、スライドロックレバー１５は、ばね２０によって矢印Ｙ方向に付勢されている。ばね２０は、一端部２０Ａが係止部材３０Ａ、他端部２０Ｂが係止部材３０Ｂに係止されている。ばね２０の一端部２０Ａは、環状を呈し、係止部材３０Ａに連環する状態で係止されている。この発明の第１係止部材に相当する係止部材３０Ａは、スライドロックレバー１５の一部に位置し、図４に示すように周方向において所定の幅Ｗだけ切断されている切断部３１Ａを備えた環状を呈している。
【００２４】
なお、所定の幅Ｗは、ばね２０の一端部２０Ａの断面における最小幅よりも小さいので、図３及び図４に斜線で示した通常の形状における係止部材３０Ａの状態では、ばね２０の一端部２０Ａを切断部３１Ａを通して係止部材３０Ａに連環することはできない。逆に、係止部材３０Ａがばね２０Ａの一端部２０Ａと連環した状態においては、ばね２０の一端部２０Ａが切断部３１Ａを介して係止部材３０Ａから脱落することもない。
【００２５】
係止部材３０Ａは、係止部３２Ａ及び弾性部３３Ａを備えている。係止部３２Ａは、図４に示すようにばね２０の一端部２０Ａを係止する。弾性部３３Ａは、周方向において係止部材３０Ａの一部を構成し、弾性変形によって図４の点線に示すように切断部３１Ａの幅を所定の幅Ｗよりも広がる。
【００２６】
ばね２０の他端部２０Ｂは、フック形状を呈している。係止部材３０Ｂは、フレーム１０の壁面に位置し、係止孔３５Ｂを備えている。係止孔３５Ｂは、ばね２０の他端部２０Ｂを係止する。
【００２７】
ばね２０の一端部２０Ａ及び他端部２０Ｂの係止は、作業者によって行われる。まず、作業者が係止部材３０Ａの弾性部３３Ａを弾性変形させて切断部３１Ａの幅を所定の幅Ｗよりも広げる。次に、一端部２０Ａを弾性部３３Ａの切断部３１Ａから連環させて係止部３２Ａに係止させる。この時、作業者が弾性部３３Ａを弾性変形させる作業が終了するので、弾性部３３Ａは弾性変形前の状態に戻り、切断部３１Ａの幅も所定の幅Ｗに戻る。その後、他端部２０Ｂを係止部材３０Ｂの係止孔３５に係止させる。
【００２８】
以上のように、所定の幅Ｗだけ切断された環状を呈し、一部に弾性部３３Ａを有する係止部材３０Ａを用いてばね２０の一端部２０Ａを係止することによって、単純な構成でばね２０の一端部２０Ａが係止部材３０Ａから脱落することを防止できるので、他端部２０Ｂを接着剤で固定する等の作業をする必要がなく、作業者の負担の軽減及びコストアップの抑制を図ることができる。
【００２９】
さらに、本発明の実施形態の係止部材３０Ａは、弾性部３３Ａが係止部３２Ａ以外の箇所に形成されているので、ばね２０の弾性力によって弾性部３３Ａが弾性変形することを防止でき、ばね２０の一端部２０Ａが係合部材３１Ａから脱落することを確実に防止することができる。
【００３０】
なお、本発明の実施形態では、弾性部３３Ａが周方向において係止部材３０Ａの一部に形成されているが、全部であってもよく、例えば全部を樹脂で形成した係止部材３０Ａがある。
【００３１】
また、本発明の実施形態では、係止部材３０Ａと係止部材３０Ｂとの構成が異なっているが、等しい構成であってもよく、また係止部材３０Ａと係止部材３０Ｂとの配置位置を逆にしてもよい。
【００３２】
さらに、本発明の実施形態に係る係止部材３０Ａは、移動部材を備えた装置であれば適用可能である。
【図面の簡単な説明】
【００３３】
【図１】従来のスライドロックレバーを備えた装置の一部の構成を示す斜視図である。
【図２】図１に示す矢印Ｙ方向から見た正面図である。
【図３】この発明の実施形態に係るスライドロックレバーを備えた装置の一部の構成を示す斜視図である。
【図４】図３に示す矢印Ｘ方向から見た正面図である。
【符号の説明】
【００３４】
１−装置
１０−フレーム
１５−スライドロックレバー
１５Ａ−ガイドピン
１５Ｂ−爪部
２０−ばね
２０Ａ−一端部
２０Ｂ−他端部
３０Ａ，Ｂ−係止部材
３１Ａ−切断部
３２Ａ−係止部
３３Ａ−弾性部
【図１】
2006221763.tif 000003
【図２】
2006221763.tif 000004
【図３】
2006221763.tif 000005
【図４】
2006221763.tif 000006